(57)【要約】【課題】  印刷紙を収納するペーパーカートリッジと共用する蓋を持つプリンタを提供し、携帯性と収納性を良くし、印刷する時は簡単操作で印刷紙がプリンタに装填できる様にする。【解決手段】  プリンタの開閉蓋をペーパーカートリッジで構成、あるいは開閉蓋とペーパーカートリッジを半固定あるいは開閉蓋の上でペーパーカートリッジを可動できプリンタ内にスライドできる構成とすることで、開閉蓋の操作と同様の簡単操作でプリンタに印刷紙を装填できるようにした。【選択図】  図１
2007144858.tif 000002
【特許請求の範囲】
【請求項１】
プリンタにおいて、ペーパーカートリッジを印刷する時はプリンタに印刷紙が水平に挿入できる様に水平に配置でき、印刷しない時またはプリンタを持ち運ぶ時はプリンタの前面に折り曲げられるように構成したことを特徴とするペーパーカートリッジと共用する蓋。
【請求項２】
プリンタにおいて、前面蓋にペーパーカートリッジが固定され、ペーパーカートリッジが蓋と共にプリンタ本体内に装填できる様にスライドする構成にしたことを特徴とするペーパーカートリッジと共用する蓋。
【請求項３】
プリンタにおいて、前面蓋にペーパーカートリッジがスライドできるように取りつけられ、蓋をプリンタ本体前面に設置した後、ペーパーカートリッジを蓋の上面をスライドしプリンタ本体内に装填できる様に構成したことを特徴とするペーパーカートリッジと共用する蓋。
【請求項４】
プリンタにおいて、ペーパーカートリッジを印刷する時はプリンタに印刷紙が挿入できる様にプリンタ上部に配置し、印刷しない時またはプリンタを持ち運ぶ時はプリンタの上面で折り曲げられるように構成したことを特徴とする請求項２又は請求項３に記載のペーパーカートリッジと共用する蓋。
【発明の詳細な説明】
【技術分野】
【０００１】
本発明は昇華プリンタにおいて、印刷紙を収納するペーパーカートリッジと共用する蓋に関する。
【背景技術】
【０００２】
従来のプリンタには、開閉蓋が下端を回転中心として開閉されるように取付けられているものがある（例えば、特許文献１参照。）。
【０００３】
以下、図５により従来の技術例について説明する。以下特許文献１について説明する。
【０００４】
上部を手でつかんで持ち運ぶことのできる本体を有し、正面又は背面に開閉蓋を備える携帯型プリンタにおいて、開閉蓋が下端を回転中心として開閉されるように取付けられており、開閉蓋が上面まで連続し上面にインクカートリッジがある携帯型プリンタ。
【特許文献１】特開２０００−１０３１３９（図５）
【発明の開示】
【発明が解決しようとする課題】
【０００５】
従来技術では開閉蓋が下端を回転中心として開閉されるように取付けられているが、ペーパーカートリッジと開閉蓋はプリンタと別々に操作する必要があった。
【０００６】
蓋の下端を回転中心とするため厚みのあるものを蓋と共に回転することができなかった。
【課題を解決するための手段】
【０００７】
・ペーパーカートリッジを印刷する時はプリンタに印刷紙が水平に挿入できる様に水平に配置でき、印刷しない時またはプリンタを持ち運ぶ時はプリンタの前面に折り曲げられるように構成したことを特徴とする。
【０００８】
・前面蓋にペーパーカートリッジが固定され、ペーパーカートリッジが蓋と共にプリンタ本体内に装填できる様にスライドする構成を特徴とする。
【０００９】
・前面蓋にペーパーカートリッジがスライドできるように取りつけられ、蓋をプリンタ本体前面に設置した後、ペーパーカートリッジを蓋の上面をスライドしプリンタ本体内に装填できる様に構成したことを特徴とする。
【００１０】
・ペーパーカートリッジを印刷する時はプリンタに印刷紙が挿入できる様にプリンタ上部に配置し、印刷しない時またはプリンタを持ち運ぶ時はプリンタの上面で折り曲げられるように構成したことを特徴とする。
【発明の効果】
【００１１】
特許文献１では開閉蓋が下端を回転中心として開閉されるように取付けられており、開閉蓋が上面まで連続しているため、印刷用紙は開閉蓋とは分離して装填する必要があったが、ペーパーカートリッジを印刷する時はプリンタに印刷紙が水平に挿入できる様に水平に配置でき、印刷しない時またはプリンタを持ち運ぶ時はプリンタの前面に折り曲げられるように構成したことで、開閉蓋と一体で装填できる様になった。
【００１２】
前面蓋にペーパーカートリッジが固定され、ペーパーカートリッジが蓋と共にプリンタ本体内に装填できる様にスライドする構成としたことで、開閉蓋と一体で装填できる様になった。
【００１３】
前面蓋にペーパーカートリッジがスライドできるように取りつけられ、蓋をプリンタ本体前面に設置した後、ペーパーカートリッジを蓋の上面をスライドしプリンタ本体内に装填できる様に構成としたことで、開閉蓋と一体で装填できる様になった。
【００１４】
ペーパーカートリッジを印刷する時はプリンタ上部に印刷紙が挿入できる様に配置し、印刷しない時またはプリンタを持ち運ぶ時はプリンタの上面で折り曲げられるように構成としたことで、開閉蓋と一体で装填できる様になった。
【発明を実施するための最良の形態】
【００１５】
（実施例１）
図１は第１の実施の形態におけるプリンタのペーパーカートリッジと共用する蓋の構成を示す概略図である。
【００１６】
図１において、１はプリンタ本体、２は蓋、３はペーパーカートリッジ、４は蓋の折れ部、５は蓋のスライド部、６は蓋のロック部である。
【００１７】
印刷する時はプリンタ本体１にペーパーカートリッジ３が水平方向に挿入できる様に水平方向に配置でき、印刷しない時またはプリンタ本体１を持ち運ぶ時はプリンタ本体１の前面に折り曲げられるようにペーパーカートリッジ３が蓋２になる。
【００１８】
図２は第１の実施の形態におけるプリンタ側面から見た概略図である。
【００１９】
この例ではペーパーカートリッジ３と蓋２が一体となっており、プリンタ本体１の内部まで蓋の折れ部４は挿入しペーパーカートリッジ３と蓋２は水平方向に半固定される。
【００２０】
印刷しない時はペーパーカートリッジ３と蓋２を手で引き出し、上に引き上げることで蓋としてプリンタ本体１の前面に折り曲げることができる。
【００２１】
蓋２は蓋のロック部６で蓋のスライド部１０に取付け半固定される。
【００２２】
図３はペーパーカートリッジと蓋の関係を示す概略図である。
【００２３】
図３において、７はペーパーカートリッジガイド部、８は蓋の折れ部の支持板、９は蓋の折れ部の支持板固定ピン、１０は蓋のスライド部、１１はペーパーカートリッジラッチ部である。
【００２４】
蓋２の根元には蓋のスライド部１０があり、蓋２に蓋の折れ部の支持板８で取り付けられ蓋の折れ部の支持板固定ピン９で組立ててある。
【００２５】
蓋のスライド部１０はプリンタ本体１内部でスライドできるレール状ガイドで案内されている。
【００２６】
ペーパーカートリッジ３は蓋２側に溝があり、蓋２に付いているペーパーカートリッジガイド部７と勘合しスライドでき、ペーパーカートリッジラッチ部１１はペーパーカートリッジ３を蓋２の端までスライドした時の保持に使用される。
【００２７】
ペーパーカートリッジ３は蓋２から外すことができ、異なる印刷用紙をペーパーカートリッジ３に収納でき、ペーパーカートリッジ３の上表面はプリンタ本体１から排出される印刷済の印刷用紙の置き台としても使用できる。
【００２８】
ペーパーカートリッジ３内に収納される印刷用紙は蓋２がプリンタ本体１の前面に折り曲げられる時、下に落ちない様に蓋２の突起で防いでいる。
【００２９】
（実施例２）
図４は第２の実施の形態におけるプリンタのペーパーカートリッジと共用する蓋の構成を示す概略図である。
【００３０】
プリンタ本体１において、蓋２を印刷する時はプリンタ本体１に印刷紙が挿入できる様にプリンタ上部に配置し、印刷しない時またはプリンタ本体１を持ち運ぶ時はプリンタの上面で折り曲げられるように構成している。
【００３１】
上表面はプリンタ本体１から排出される印刷済の印刷用紙の置き台となっており、上面で折り曲げられた蓋２はペーパーカートリッジ３と共に印刷済の印刷用紙を覆うように収納する。
【００３２】
以上のように蓋の根元で折れ曲がる構造にすることで、ペーパーカートリッジ分の厚さが気にならずに蓋を開閉することができた。
【産業上の利用可能性】
【００３３】
印刷用紙を収納したペーパーカートリッジと開閉蓋を同時に操作することはプリンタの日常操作を楽にし、プリンタに限らずモバイル機器の操作性向上に役立つ。
【図面の簡単な説明】
【００３４】
【図１】第１の実施の形態におけるプリンタのペーパーカートリッジと共用する蓋の構成を示す概略図。
【図２】第１の実施の形態におけるプリンタ側面から見た概略図。
【図３】ペーパーカートリッジと蓋の関係を示す概略図。
【図４】第２の実施の形態におけるプリンタのペーパーカートリッジと共用する蓋の構成を示す概略図。
【図５】従来例の図。
【符号の説明】
【００３５】
１  プリンタ本体
２  蓋
３  ペーパーカートリッジ
４  蓋の折れ部
５  蓋のスライド部
６  蓋のロック部
７  カートリッジガイド部
８  蓋の折れ部の支持板
９  蓋の折れ部の支持板固定ピン
10  蓋のスライド部
11  ペーパーカートリッジラッチ部
【図１】
2007144858.tif 000003
【図２】
2007144858.tif 000004
【図３】
2007144858.tif 000005
【図４】
2007144858.tif 000006
【図５】
2007144858.tif 000007